【手続補正書】
【提出日】平成14年11月21日(2002.11.21)
【手続補正１】
【補正対象書類名】明細書
【補正対象項目名】特許請求の範囲
【補正方法】変更
【補正の内容】
【特許請求の範囲】
【請求項１】
単離されたポリペプチドであって、
（ａ）ＳＥＱ ＩＤ ＮＯ：１乃至ＳＥＱ ＩＤ ＮＯ：４７（ＳＥＱ ＩＤ ＮＯ：１−４７）からなる群から選択されたアミノ酸を含むポリペプチドと、
（ｂ）ＳＥＱ ＩＤ ＮＯ：１−４７からなる群から選択されたアミノ酸配列と少なくとも９０％の同一性を有するアミノ酸配列を含む天然のポリペプチドと、
（ｃ）ＳＥＱ ＩＤ ＮＯ：１−４７からなる群から選択されたアミノ酸配列を有するポリペプチドの生物学的に活性な断片と、
（ｄ）ＳＥＱ ＩＤ ＮＯ：１−４７からなる群から選択されたアミノ酸配列を有するポリペプチドの免疫原性断片とで構成される群から選択されることを特徴とする単離されたポリペプチド。
【請求項２】
ＳＥＱ ＩＤ ＮＯ：１−４７からなる群から選択された請求項１の単離されたポリペプチド。
【請求項３】
請求項１のポリペプチドをコードする単離されたポリヌクレオチド。
【請求項４】
請求項２のポリペプチドをコードする単離されたポリヌクレオチド。
【請求項５】
ＳＥＱ ＩＤ ＮＯ：４８−９４からなる群から選択された請求項４の単離されたポリヌクレオチド。
【請求項６】
請求項３のポリヌクレオチドに機能的に結合されたプロモーター配列を含む組換えポリヌクレオチド。
【請求項７】
請求項６の組換えポリヌクレオチドで形質転換された細胞。
【請求項８】
請求項６の組換えポリヌクレオチドを含む遺伝子組換え生物。
【請求項９】
請求項１のポリペプチドを生産する方法であって、
（ａ）前記ポリペプチドの発現に好適な条件下で、請求項１のポリペプチドをコードするポリヌクレオチドに機能的に結合されたプロモーター配列を含む組換えポリヌクレオチドで形質転換された細胞を培養するステップと、
（ｂ）そのように発現したポリペプチドを回収するステップとを含むことを特徴とする請求項１のポリペプチドの生産方法。
【請求項１０】
請求項１のポリペプチドに特異的に結合する単離された抗体。
【請求項１１】
単離されたポリヌクレオチドであって、
（ａ）ＳＥＱ ＩＤ ＮＯ：４８−９４からなる群から選択されたポリヌクレオチド配列を含むポリヌクレオチドと、
（ｂ）ＳＥＱ ＩＤ ＮＯ：４８−９４からなる群から選択されたポリヌクレオチド配列と少なくとも９０％の同一性を有するポリヌクレオチド配列を含む天然のポリヌクレオチドと、
（ｃ）前記（ａ）のポリヌクレオチドに相補的なポリヌクレオチドと、
（ｄ）前記（ｂ）のポリヌクレオチドに相補的なポリヌクレオチドと、
（ｅ）前記（ａ）乃至（ｄ）のＲＮＡ等価物とで構成される群から選択された単離されたポリヌクレオチド。
【請求項１２】
請求項１１のポリヌクレオチドの少なくとも６０個の連続するヌクレオチドを含む単離されたポリヌクレオチド。
【請求項１３】
サンプルにおける請求項１１に記載のポリヌクレオチド配列を有する標的ポリヌクレオチドを検出する方法であって、
（ａ）前記サンプルをプローブでハイブリダイズするステップであって、前記プローブが、前記サンプル内の前記標的ポリヌクレオチドに相補的な配列を含む少なくとも２０個の連続するヌクレオチドを含み、前記プローブと前記標的ポリヌクレオチドまたはその断片との間でハイブリダイゼーション複合体が形成される条件下で、前記プローブが前記標的ポリヌクレオチドに特異的にハイブリダイズする、該ステップと、
（ｂ）前記ハイブリダイゼーション複合体が存在するか否かを検出し、存在する場合には必要に応じてその収量を測定するステップとを含むことを特徴とする標的ポリヌクレオチドの検出方法。
【請求項１４】
前記プローブが少なくとも６０個の連続するヌクレオチドを含むことを特徴とする請求項１３に記載の方法。
【請求項１５】
サンプルにおける請求項１１のポリヌクレオチド配列を有する標的ポリヌクレオチドを検出する方法であって、
（ａ）ポリメラーゼ連鎖反応増幅法を用いて、前記標的ポリヌクレオチドまたはその断片を増幅するステップと、
（ｂ）増幅された前記標的ポリヌクレオチドまたはその断片が存在するか否かを検出し、存在する場合には必要に応じてその収量を測定するステップとを含むことを特徴とする標的ポリヌクレオチドの検出方法。
【請求項１６】
請求項１のポリペプチド及び医薬的に容認できる賦形剤を含む組成物。
【請求項１７】
前記ポリペプチドが、ＳＥＱ ＩＤ ＮＯ：１−４７からなる群から選択されたアミノ酸配列を含むことを特徴とする請求項１６の組成物。
【請求項１８】
機能的なＲＭＥＰ（新規のＲＮＡ代謝タンパク質）の発現の低下に関連する疾患や病態の治療方法であって、そのような治療が必要な患者に請求項１６の組成物を投与することを含むことを特徴とする治療方法。
【請求項１９】
請求項１のポリペプチドのアゴニストとして有効な化合物をスクリーニングする方法であって、
（ａ）請求項１のポリペプチドを含むサンプルを化合物に曝露するステップと、
（ｂ）前記サンプルにおいてアゴニスト活性を検出するステップとを含むことを特徴とするスクリーニング方法。
【請求項２０】
請求項１９の方法によって同定されたアゴニスト化合物及び医薬的に容認できる賦形剤を含む組成物。
【請求項２１】
機能的なＲＭＥＰの発現の低下に関連する疾患や病態の治療方法であって、そのような治療が必要な患者に請求項２０の組成物を投与することを含むことを特徴とする治療方法。
【請求項２２】
請求項１のポリペプチドのアンタゴニストとして有効な化合物をスクリーニングする方法であって、
（ａ）請求項１のポリペプチドを含むサンプルを化合物に曝露するステップと、
（ｂ）前記サンプルにおけるアンタゴニスト活性を検出するステップとを含むことを特徴とするスクリーニング方法。
【請求項２３】
請求項２２の方法によって同定されたアンタゴニスト化合物及び医薬的に容認できる賦形剤を含む組成物。
【請求項２４】
機能的なＲＭＥＰの過剰な発現に関連する疾患や病態の治療方法であって、そのような治療が必要な患者に請求項２３の組成物を投与することを含むことを特徴とする治療方法。
【請求項２５】
請求項１のポリペプチドに特異的に結合する化合物をスクリーニングする方法であって、
（ａ）請求項１のポリペプチドを好適な条件下で少なくとも１つの試験化合物と結合させるステップと、
（ｂ）請求項１のポリペプチドと前記試験化合物との結合を検出して、請求項１のポリペプチドと特異的に結合する化合物を同定するステップとを含むことを特徴とするスクリーニング方法。
【請求項２６】
請求項１のポリペプチドの活性を変化させる化合物をスクリーニングする方法であって、
（ａ）請求項１のポリペプチドを、そのポリペプチドの活性が許容される条件下で少なくとも１つの試験化合物と結合させるステップと、
（ｂ）前記試験化合物の存在下での請求項１のポリペプチドの活性を評価するステップと、
（ｃ）前記試験化合物の存在下での請求項１のポリペプチドの活性と、前記試験化合物の非存在下での請求項１のポリペプチドの活性とを比較するステップとを含み、
前記試験化合物の存在下での請求項１のポリペプチドの活性の変化が、請求項１のポリペプチドの活性を変化させる化合物の存在を示唆することを特徴とするスクリーニング方法。
【請求項２７】
請求項５の配列を含む標的ポリヌクレオチドの発現を変化させるのに有効な化合物をスクリーニングする方法であって、
（ａ）前記標的ポリヌクレオチドの発現に好適な条件下で、前記標的ポリヌクレオチドを含むサンプルを化合物に曝露するステップと、
（ｂ）前記標的ポリヌクレオチドの発現の変化を検出するステップと、
（ｃ）様々な量の前記化合物の存在下での前記標的ポリヌクレオチドの発現と、前記化合物の非存在下での前記標的ポリヌクレオチドの発現とを比較するステップとを含むことを特徴とするスクリーニング方法。
【請求項２８】
試験化合物の毒性を評価する方法であって、
（ａ）核酸を含む生体サンプルを前記試験化合物で処理するステップと、
（ｂ）処理した前記生体サンプルの核酸を、請求項１１のポリヌクレオチドの少なくとも２０個の連続するヌクレオチドを含むプローブとハイブリダイズさせるステップであって、このハイブリダイゼーションが、前記プローブと前記生体サンプルの標的ポリヌクレオチドとの間で特異的なハイブリダイゼーション複合体が形成される条件下で行われ、前記標的ポリヌクレオチドが、請求項１１のポリヌクレオチドのポリヌクレオチド配列またはその断片を含むポリヌクレオチドである、前記ステップと、
（ｃ）ハイブリダイゼーション複合体の収量を定量するステップと、
（ｄ）前記処理した生体サンプルにおけるハイブリダイゼーション複合体の収量を、未処理の生体サンプルにおけるハイブリダイゼーション複合体の収量と比較するステップとを含み、
前記処理した生体サンプルにおけるハイブリダイゼーション複合体の収量の差が試験化合物の毒性を示唆することを特徴とする試験化合物の毒性評価方法。
【請求項２９】
生体サンプルにおけるＲＭＥＰの発現に関連する病態または疾患の診断テストであって、
（ａ）請求項１０の抗体と前記ポリペプチドとの結合に好適な条件下で、前記生体サンプルを請求項１０の抗体と結合させて、抗体／ポリペプチド複合体を形成するステップと、
（ｂ）前記複合体を検出すステップとを含み、
前記複合体の存在が、前記生体サンプルにおける前記ポリヌクレオチドの存在と相関性を有することを特徴とする診断テスト。
【請求項３０】
前記抗体が、
（ａ）キメラ抗体、
（ｂ）一本鎖抗体、
（ｃ）Ｆａｂ断片、
（ｄ）Ｆ（ａｂ’）２断片、または
（ｅ）ヒト化抗体であることを特徴とする請求項１０に記載の抗体。
【請求項３１】
請求項１０の抗体及び許容される賦形剤を含む組成物。
【請求項３２】
患者において、ＲＭＥＰの発現に関連する病態または疾患を診断する方法であって、請求項３１の組成物を前記患者に有効量投与することを含むことを特徴とする方法。
【請求項３３】
前記抗体が標識されていることを特徴とする請求項３１に記載の組成物。
【請求項３４】
患者において、ＲＭＥＰの発現に関連する病態または疾患を診断する方法であって、請求項３３の組成物を前記患者に有効量投与することを含むことを特徴とする方法。
【請求項３５】
請求項１０の抗体の特異性を有するポリクローナル抗体を作製する方法であって、
（ａ）抗体反応が起こる条件下で、ＳＥＱ ＩＤ ＮＯ：１−４７からなる群から選択されたアミノ酸配列またはその免疫原性断片を有するポリペプチドで動物を免疫化するステップと、
（ｂ）前記動物から抗体を単離するステップと、
（ｃ）前記単離された抗体を前記ポリペプチドでスクリーニングして、ＳＥＱ ＩＤ ＮＯ：１−４７からなる群から選択されたアミノ酸配列を有するポリペプチドに特異的に結合するポリクローナル抗体を同定するステップとを含むことを特徴とするポリクローナル抗体作製方法。
【請求項３６】
請求項３５の方法により作製された抗体。
【請求項３７】
請求項３６の抗体及び適当な担体を含む組成物。
【請求項３８】
請求項１０の抗体の特異性を有するモノクローナル抗体を作製する方法であって、
（ａ）抗体反応が起こる条件下で、ＳＥＱ ＩＤ ＮＯ：１−４７からなる群から選択されたアミノ酸配列またはその免疫原性断片を有するポリペプチドで動物を免疫化するステップと、
（ｂ）前記動物から抗体を産生する細胞を単離するステップと、
（ｃ）前記抗体産生細胞を不死化細胞と融合し、モノクローナル抗体産生ハイブリドーマ細胞を形成するステップと、
（ｄ）前記ハイブリドーマ細胞を培養するステップと、
（ｅ）ＳＥＱ ＩＤ ＮＯ：１−４７からなる群から選択されたアミノ酸配列を有するポリペプチドに特異的に結合する前記培養モノクローナル抗体から単離するステップとを含むことを特徴とするモノクローナル抗体作製方法。
【請求項３９】
請求項３８の方法で作製したモノクローナル抗体。
【請求項４０】
請求項３９の抗体及び適当な担体を含む組成物。
【請求項４１】
Ｆａｂ発現ライブラリのスクリーニングにより得られた請求項１０の抗体。
【請求項４２】
組換え免疫グロブリンライブラリのスクリーニングにより得られた請求項１０の抗体。
【請求項４３】
サンプルにおけるＳＥＱ ＩＤ ＮＯ：１−４７からなる群から選択されたアミノ酸配列を有するポリペプチドを検出する方法であって、
（ａ）請求項１０の抗体と前記ポリペプチドとの特異的な結合が許容される条件下で、前記抗体を前記サンプルと共にインキュベートするステップと、
（ｂ）特異的な結合を検出するステップとを含み、
前記特異的な結合が、前記サンプルにＳＥＱ ＩＤ ＮＯ：１−４７からなる群から選択されたアミノ酸配列を有するポリペプチドが存在することを示唆することを特徴とする方法。
【請求項４４】
ＳＥＱ ＩＤ ＮＯ：１−４７からなる群から選択されたアミノ酸配列を有するポリペプチドをサンプルから精製する方法であって、
（ａ）請求項１０の抗体と前記ポリペプチドとの特異的結合が許容される条件下で、前記抗体を前記サンプルと共にインキュベートするステップと、
（ｂ）前記サンプルから前記抗体を分離して、ＳＥＱ ＩＤ ＮＯ：１−４７からなる群から選択されたアミノ酸配列を有する精製されたポリペプチドを得るステップとを含むことを特徴とする方法。
【請求項４５】
ＳＥＱ ＩＤ ＮＯ：１のアミノ酸配列を含む請求項１に記載のポリペプチド。
【請求項４６】
ＳＥＱ ＩＤ ＮＯ：２のアミノ酸配列を含む請求項１に記載のポリペプチド。
【請求項４７】
ＳＥＱ ＩＤ ＮＯ：３のアミノ酸配列を含む請求項１に記載のポリペプチド。
【請求項４８】
ＳＥＱ ＩＤ ＮＯ：４のアミノ酸配列を含む請求項１に記載のポリペプチド。
【請求項４９】
ＳＥＱ ＩＤ ＮＯ：５のアミノ酸配列を含む請求項１に記載のポリペプチド。
【請求項５０】
ＳＥＱ ＩＤ ＮＯ：６のアミノ酸配列を含む請求項１に記載のポリペプチド。
【請求項５１】
ＳＥＱ ＩＤ ＮＯ：７のアミノ酸配列を含む請求項１に記載のポリペプチド。
【請求項５２】
ＳＥＱ ＩＤ ＮＯ：８のアミノ酸配列を含む請求項１に記載のポリペプチド。
【請求項５３】
ＳＥＱ ＩＤ ＮＯ：９のアミノ酸配列を含む請求項１に記載のポリペプチド。
【請求項５４】
ＳＥＱ ＩＤ ＮＯ：１０のアミノ酸配列を含む請求項１に記載のポリペプチド。
【請求項５５】
ＳＥＱ ＩＤ ＮＯ：１１のアミノ酸配列を含む請求項１に記載のポリペプチド。
【請求項５６】
ＳＥＱ ＩＤ ＮＯ：１２のアミノ酸配列を含む請求項１に記載のポリペプチド。
【請求項５７】
ＳＥＱ ＩＤ ＮＯ：１３のアミノ酸配列を含む請求項１に記載のポリペプチド。
【請求項５８】
ＳＥＱ ＩＤ ＮＯ：１４のアミノ酸配列を含む請求項１に記載のポリペプチド。
【請求項５９】
ＳＥＱ ＩＤ ＮＯ：１５のアミノ酸配列を含む請求項１に記載のポリペプチド。
【請求項６０】
ＳＥＱ ＩＤ ＮＯ：１６のアミノ酸配列を含む請求項１に記載のポリペプチド。
【請求項６１】
ＳＥＱ ＩＤ ＮＯ：１７のアミノ酸配列を含む請求項１に記載のポリペプチド。
【請求項６２】
ＳＥＱ ＩＤ ＮＯ：１８のアミノ酸配列を含む請求項１に記載のポリペプチド。
【請求項６３】
ＳＥＱ ＩＤ ＮＯ：１９のアミノ酸配列を含む請求項１に記載のポリペプチド。
【請求項６４】
ＳＥＱ ＩＤ ＮＯ：２０のアミノ酸配列を含む請求項１に記載のポリペプチド。
【請求項６５】
ＳＥＱ ＩＤ ＮＯ：２１のアミノ酸配列を含む請求項１に記載のポリペプチド。
【請求項６６】
ＳＥＱ ＩＤ ＮＯ：２２のアミノ酸配列を含む請求項１に記載のポリペプチド。
【請求項６７】
ＳＥＱ ＩＤ ＮＯ：２３のアミノ酸配列を含む請求項１に記載のポリペプチド。
【請求項６８】
ＳＥＱ ＩＤ ＮＯ：２４のアミノ酸配列を含む請求項１に記載のポリペプチド。
【請求項６９】
ＳＥＱ ＩＤ ＮＯ：２５のアミノ酸配列を含む請求項１に記載のポリペプチド。
【請求項７０】
ＳＥＱ ＩＤ ＮＯ：２６のアミノ酸配列を含む請求項１に記載のポリペプチド。
【請求項７１】
ＳＥＱ ＩＤ ＮＯ：２７のアミノ酸配列を含む請求項１に記載のポリペプチド。
【請求項７２】
ＳＥＱ ＩＤ ＮＯ：２８のアミノ酸配列を含む請求項１に記載のポリペプチド。
【請求項７３】
ＳＥＱ ＩＤ ＮＯ：２９のアミノ酸配列を含む請求項１に記載のポリペプチド。
【請求項７４】
ＳＥＱ ＩＤ ＮＯ：３０のアミノ酸配列を含む請求項１に記載のポリペプチド。
【請求項７５】
ＳＥＱ ＩＤ ＮＯ：３１のアミノ酸配列を含む請求項１に記載のポリペプチド。
【請求項７６】
ＳＥＱ ＩＤ ＮＯ：３２のアミノ酸配列を含む請求項１に記載のポリペプチド。
【請求項７７】
ＳＥＱ ＩＤ ＮＯ：３３のアミノ酸配列を含む請求項１に記載のポリペプチド。
【請求項７８】
ＳＥＱ ＩＤ ＮＯ：３４のアミノ酸配列を含む請求項１に記載のポリペプチド。
【請求項７９】
ＳＥＱ ＩＤ ＮＯ：３５のアミノ酸配列を含む請求項１に記載のポリペプチド。
【請求項８０】
ＳＥＱ ＩＤ ＮＯ：３６のアミノ酸配列を含む請求項１に記載のポリペプチド。
【請求項８１】
ＳＥＱ ＩＤ ＮＯ：３７のアミノ酸配列を含む請求項１に記載のポリペプチド。
【請求項８２】
ＳＥＱ ＩＤ ＮＯ：３８のアミノ酸配列を含む請求項１に記載のポリペプチド。
【請求項８３】
ＳＥＱ ＩＤ ＮＯ：３９のアミノ酸配列を含む請求項１に記載のポリペプチド。
【請求項８４】
ＳＥＱ ＩＤ ＮＯ：４０のアミノ酸配列を含む請求項１に記載のポリペプチド。
【請求項７５】
ＳＥＱ ＩＤ ＮＯ：４１のアミノ酸配列を含む請求項１に記載のポリペプチド。
【請求項８６】
ＳＥＱ ＩＤ ＮＯ：４２のアミノ酸配列を含む請求項１に記載のポリペプチド。
【請求項８７】
ＳＥＱ ＩＤ ＮＯ：４３のアミノ酸配列を含む請求項１に記載のポリペプチド。
【請求項８８】
ＳＥＱ ＩＤ ＮＯ：４４のアミノ酸配列を含む請求項１に記載のポリペプチド。
【請求項８９】
ＳＥＱ ＩＤ ＮＯ：４５のアミノ酸配列を含む請求項１に記載のポリペプチド。
【請求項９０】
ＳＥＱ ＩＤ ＮＯ：４６のアミノ酸配列を含む請求項１に記載のポリペプチド。
【請求項９１】
ＳＥＱ ＩＤ ＮＯ：４７のアミノ酸配列を含む請求項１に記載のポリペプチド。
【請求項９２】
ＳＥＱ ＩＤ ＮＯ：４８のポリヌクレオチド配列を含む請求項１１のポリヌクレオチド。
【請求項９３】
ＳＥＱ ＩＤ ＮＯ：４９のポリヌクレオチド配列を含む請求項１１のポリヌクレオチド。
【請求項９４】
ＳＥＱ ＩＤ ＮＯ：５０のポリヌクレオチド配列を含む請求項１１に記載のポリヌクレオチド。
【請求項９５】
ＳＥＱ ＩＤ ＮＯ：５１のポリヌクレオチド配列を含む請求項１１に記載のポリヌクレオチド。
【請求項９６】
ＳＥＱ ＩＤ ＮＯ：５２のポリヌクレオチド配列を含む請求項１１に記載のポリヌクレオチド。
【請求項９７】
ＳＥＱ ＩＤ ＮＯ：５３のポリヌクレオチド配列を含む請求項１１に記載のポリヌクレオチド。
【請求項９８】
ＳＥＱ ＩＤ ＮＯ：５４のポリヌクレオチド配列を含む請求項１１に記載のポリヌクレオチド。
【請求項９９】
ＳＥＱ ＩＤ ＮＯ：５５のポリヌクレオチド配列を含む請求項１１に記載のポリヌクレオチド。
【請求項１００】
ＳＥＱ ＩＤ ＮＯ：５６のポリヌクレオチド配列を含む請求項１１に記載のポリヌクレオチド。
【請求項１０１】
ＳＥＱ ＩＤ ＮＯ：５７のポリヌクレオチド配列を含む請求項１１に記載のポリヌクレオチド。
【請求項１０２】
ＳＥＱ ＩＤ ＮＯ：５８のポリヌクレオチド配列を含む請求項１１に記載のポリヌクレオチド。
【請求項１０３】
ＳＥＱ ＩＤ ＮＯ：５９のポリヌクレオチド配列を含む請求項１１に記載のポリヌクレオチド。
【請求項１０４】
ＳＥＱ ＩＤ ＮＯ：６０のポリヌクレオチド配列を含む請求項１１に記載のポリヌクレオチド。
【請求項１０５】
ＳＥＱ ＩＤ ＮＯ：６１のポリヌクレオチド配列を含む請求項１１に記載のポリヌクレオチド。
【請求項１０６】
ＳＥＱ ＩＤ ＮＯ：６２のポリヌクレオチド配列を含む請求項１１に記載のポリヌクレオチド。
【請求項１０７】
ＳＥＱ ＩＤ ＮＯ：６３のポリヌクレオチド配列を含む請求項１１に記載のポリヌクレオチド。
【請求項１０８】
ＳＥＱ ＩＤ ＮＯ：６４のポリヌクレオチド配列を含む請求項１１に記載のポリヌクレオチド。
【請求項１０９】
ＳＥＱ ＩＤ ＮＯ：６５のポリヌクレオチド配列を含む請求項１１に記載のポリヌクレオチド。
【請求項１１０】
ＳＥＱ ＩＤ ＮＯ：６６のポリヌクレオチド配列を含む請求項１１に記載のポリヌクレオチド。
【請求項１１１】
ＳＥＱ ＩＤ ＮＯ：６７のポリヌクレオチド配列を含む請求項１１に記載のポリヌクレオチド。
【請求項１１２】
ＳＥＱ ＩＤ ＮＯ：６８のポリヌクレオチド配列を含む請求項１１に記載のポリヌクレオチド。
【請求項１１３】
ＳＥＱ ＩＤ ＮＯ：６９のポリヌクレオチド配列を含む請求項１１に記載のポリヌクレオチド。
【請求項１１４】
ＳＥＱ ＩＤ ＮＯ：７０のポリヌクレオチド配列を含む請求項１１に記載のポリヌクレオチド。
【請求項１１５】
ＳＥＱ ＩＤ ＮＯ：７１のポリヌクレオチド配列を含む請求項１１に記載のポリヌクレオチド。
【請求項１１６】
ＳＥＱ ＩＤ ＮＯ：７２のポリヌクレオチド配列を含む請求項１１に記載のポリヌクレオチド。
【請求項１１７】
ＳＥＱ ＩＤ ＮＯ：７３のポリヌクレオチド配列を含む請求項１１に記載のポリヌクレオチド。
【請求項１１８】
ＳＥＱ ＩＤ ＮＯ：７４のポリヌクレオチド配列を含む請求項１１に記載のポリヌクレオチド。
【請求項１１９】
ＳＥＱ ＩＤ ＮＯ：７５のポリヌクレオチド配列を含む請求項１１に記載のポリヌクレオチド。
【請求項１２０】
ＳＥＱ ＩＤ ＮＯ：７６のポリヌクレオチド配列を含む請求項１１に記載のポリヌクレオチド。
【請求項１２１】
ＳＥＱ ＩＤ ＮＯ：７７のポリヌクレオチド配列を含む請求項１１に記載のポリヌクレオチド。
【請求項１２２】
ＳＥＱ ＩＤ ＮＯ：７８のポリヌクレオチド配列を含む請求項１１に記載のポリヌクレオチド。
【請求項１２３】
ＳＥＱ ＩＤ ＮＯ：７９のポリヌクレオチド配列を含む請求項１１に記載のポリヌクレオチド。
【請求項１２４】
ＳＥＱ ＩＤ ＮＯ：８０のポリヌクレオチド配列を含む請求項１１に記載のポリヌクレオチド。
【請求項１２５】
ＳＥＱ ＩＤ ＮＯ：８１のポリヌクレオチド配列を含む請求項１１に記載のポリヌクレオチド。
【請求項１２６】
ＳＥＱ ＩＤ ＮＯ：８２のポリヌクレオチド配列を含む請求項１１に記載のポリヌクレオチド。
【請求項１２７】
ＳＥＱ ＩＤ ＮＯ：８３のポリヌクレオチド配列を含む請求項１１に記載のポリヌクレオチド。
【請求項１２８】
ＳＥＱ ＩＤ ＮＯ：８４のポリヌクレオチド配列を含む請求項１１に記載のポリヌクレオチド。
【請求項１２９】
ＳＥＱ ＩＤ ＮＯ：８５のポリヌクレオチド配列を含む請求項１１に記載のポリヌクレオチド。
【請求項１３０】
ＳＥＱ ＩＤ ＮＯ：８６のポリヌクレオチド配列を含む請求項１１に記載のポリヌクレオチド。
【請求項１３１】
ＳＥＱ ＩＤ ＮＯ：８７のポリヌクレオチド配列を含む請求項１１に記載のポリヌクレオチド。
【請求項１３２】
ＳＥＱ ＩＤ ＮＯ：８８のポリヌクレオチド配列を含む請求項１１に記載のポリヌクレオチド。
【請求項１３３】
ＳＥＱ ＩＤ ＮＯ：８９のポリヌクレオチド配列を含む請求項１１に記載のポリヌクレオチド。
【請求項１３４】
ＳＥＱ ＩＤ ＮＯ：９０のポリヌクレオチド配列を含む請求項１１に記載のポリヌクレオチド。
【請求項１３５】
ＳＥＱ ＩＤ ＮＯ：９１のポリヌクレオチド配列を含む請求項１１に記載のポリヌクレオチド。
【請求項１３６】
ＳＥＱ ＩＤ ＮＯ：９２のポリヌクレオチド配列を含む請求項１１に記載のポリヌクレオチド。
【請求項１３７】
ＳＥＱ ＩＤ ＮＯ：９３のポリヌクレオチド配列を含む請求項１１に記載のポリヌクレオチド。
【請求項１３８】
ＳＥＱ ＩＤ ＮＯ：９４のポリヌクレオチド配列を含む請求項１１に記載のポリヌクレオチド。